(57)【要約】      （修正有）【課題】防除設備を栽培農家の方々が、安心して容易に操作できる静止防除設備を構成し、植物栽培ハウス内噴霧の薬液を作業員に影響を与えることなく、植物栽培に付着する病害虫を確実に駆除できる、安価な防除システムを提供する。【解決手段】植物栽培ハウス１０内に病害虫予防剤を含む薬液の噴霧手段を、送液管２１が植物栽培ハウス１０内に入った近辺にバルブを設け、植物栽培ハウス１０上部の空間部Ｋ１４に高さを有した送液管２１を全長方向に架設し、送液管２１に複数ノズルを下向噴射に所定間隔で配置装備し、作物の種類によっては、ノズル噴射の圧力調整コントロールによって霧状の浮遊サイズを生成し、作物の葉裏や茎の横面にもしっかり付着防除ができ、農薬の散布量を減らすことが可能である。【選択図】図１
0003223333.tif 000002
【実用新案登録請求の範囲】
【請求項１】
植物栽培ハウス１０内に病害虫予防剤を含む薬液の噴霧手段を、送液管２１が植物栽培ハウス１０内に入った近辺にバルブ２３を設け、前記植物栽培ハウス１０上部の空間部Ｋ１４に高さを有した送液管２１を全長方向に架設し、前記送液管２１に複数ノズル２７を下向噴射に所定間隔で配置装備し、作物の種類によっては、ノズル２７噴射の圧力調整コントロールよって霧状の浮遊サイズを生成し、作物の葉裏や茎の横面にもしっかり付着防除ができ、農薬の散布量を減らすことが可能なることを特徴した防除システム。
【請求項２】
防除システム２０は薬液希釈撹拌槽５０と貯留水槽５１とに吸引管を設けて電磁弁２９を組入れ、前記電磁弁２９はＴ型分岐管２４を用いて圧送ポンプ３２と連結し、前記圧送ポンプ３２は送液管２１と連結して、ハウス１０内の送液管２１は複数のノズル２７を設け形成し、前記ハウス１０内の散布用途に必要な送液の選定をして、前記送液の種類は制御基盤６０に設けた手動電源スイッチの分類ごとに表記して、前記送液表記の要部電源スイッチ入力することで、タイマー制御に従って送液管２１の送液を噴霧して終了すことを特徴した請求項１記載の防除システム。
【請求項３】
前記防除システム２０の送液噴霧が終了後、コンプレッサーエアー６１加圧で送液管２１内の残液をノズル２７噴霧排出しすることを特徴した請求項１、２、記載の防除システム。
【請求項４】
前記防除システム２０の作動操作は手動スイッチで圧送ポンプ３２を作動し、作動時間はタイマーと薬液希釈撹拌槽５０と貯留水槽５１の水位計センサ５４検値で制御し安全停止する、作業が停止すると同時に、ベルと点灯で作業終了を知らせ、近辺のスイッチを切ることで完全終了したことを特徴した請求項１、２、３、記載の防除システム。
【考案の詳細な説明】
【技術分野】
【０００１】本考案は、植物栽培ハウスの防除システムに関し、詳しくは、植物栽培ハウスの上部空間部に送液管を架設し、病害虫防除剤をノズル噴霧する防除システムに関するものである。
【背景技術】
【０００２】生産者が定期的に農薬散布を行って防除しているが、作業者にとって作業負荷が大きく重労働となり、かつ薬剤吸引により健康上に悪影響が出る恐れがある。【０００３】上記述べを解決することで、動力噴霧機を応用した自走式防除装置が開発されあらゆる防除作業に使われている。【０００４】防除器具の種類は、動力噴霧機；エンジンを付けた可搬式動噴で、動力ポンプで圧力を加えた薬液を、ノズルから噴霧して作物に付着させる・ブームスプレーヤ；自走式で長い竿を装備し動力噴霧機により薬液噴霧・自走式防除機（ロボットスプレーカ）；ノズルを装着した防除機がホースをひきながら、あるいは巻取りながら畝間を無人走行して薬剤を散布する・スピードスプレーヤ；動力噴霧機によりノズルから噴霧された薬液を、送風機で発生させた強力な気流にのせて散布する・ノズル懸垂式防除装置；ハウスの上部空間部に設置したレールにより、畝間に散布ノズルを吊り下げ、作物に沿って移動散布する無人防除きである。【０００５】特許文献１は、薬液を備え、自ら移動して薬剤を作物に噴射させる防除器を有する防除装置において、ハウス内の畝に沿って一直線  設けられ、支持部材に支持される多数個の走行棒と、走行棒に対向して一側端部に設けられた移送レールと、移送レールで往復走行し、複数個のセンサ及び制御手段を有する防除器移送手段と、防除器が走行棒に沿って移動できるように前進・後進動作するＬ字型のリード棒が取付けられた走行棒連結手段と、を具備し、防除器は、公知の無人防除器であり、リード棒の上に載って移送され、走行棒に沿って移動しながら薬剤を噴射するよう構成された無人防除装置が提案されている。【０００６】特許文献２は、煙霧機を移動（自走台車に搭載）させながら行う煙霧防除方法であって、煙霧機から噴霧される防除剤が作物に直接当たるのを防止するために、煙霧機による煙霧方向が作物の向きになる時に噴霧を一時停止させることを特徴とする煙霧防除方法が提案されている。
【先行技術文献】
【特許文献】
【０００７】
【特許文献１】特開２００１−０８６９２０号公報
【特許文献２】特開２００１−９５４６１号公報
【考案の概要】
【考案が解決しようとする課題】
【０００８】特許文献１では、一つの防除器で、施設ハウスの上部空間部を利用して、自動的に防除を行うことを主眼に開発されたものであるが、防除装置の走行は、駆動モーターに設けたピニオンギヤが形成され、その走行部分の支持台の中央にラックギヤを用いて、噛み合い走行するが、一定寸法でフック掛けした薬液供給ホース及び電線を手繰りながら自走行する、これ等、自走防除装置や複雑な支持台構造等はハウス一棟（十数棟に至る）ごとに設置するもので、防除の設備費用を栽培農家が負担するという深刻な問題点があった。【０００９】特許文献２では、自走台車に煙霧機搭載して無人で薬液散布を行うことを主眼に開発されているセンサ頼りの自走行噴霧は、噴霧方向や噴霧距離等の難問を抱えている、依って、無人自走煙霧機を十数棟のハウス内、４〜５棟を同時走行させることはトラブルを思案すると走行無理な問題と、煙霧機の購入費用を栽培農家が負担するという深刻な問題点があった。【００１０】本考案は、前記問題に鑑みてなされたもので、設備した防除噴霧を栽培農家の方々が、安心して容易に操作できる静止防除設備を構成し、植物栽培ハウス内噴霧の薬液を作業員に影響を与えることなく、かつ、植物栽培に付着する病害虫を確実に駆除できる、安価な防除システムを提供することを課題としている。
【課題を解決するための手段】
【００１１】請求項１にあっては、植物栽培ハウス１０内に病害虫予防剤を含む薬液の噴霧手段を、送液管２１が植物栽培ハウス１０内に入った近辺にバルブ２３を設け、前記植物栽培ハウス１０上部の空間部Ｋ１４に高さを有した送液管２１を全長方向に架設し、前記送液管２１に複数ノズル２７を下向噴射に所定間隔で配置装備し、作物の種類によっては、ノズル２７噴射の圧力調整コントロールよって霧状の浮遊サイズを生成し、作物の葉裏や茎の横面にもしっかり付着防除ができ、農薬の散布量を減らすことが可能なることを特徴した。【００１２】請求項２にあっては、防除システム２０は薬液希釈撹拌槽５０と貯留水槽５１とに吸引管を設けて電磁弁２９を組入れ、前記電磁弁２９はＴ型分岐管２４を用いて圧送ポンプ３２と連結し、前記圧送ポンプ３２は送液管２１と連結して、ハウス１０内の送液管２１は複数のノズル２７を設け形成し、前記ハウス１０内の散布用途に必要な送液の選定をして、前記送液の種類は制御基盤６０に設けた手動電源スイッチの分類ごとに表記して、前記送液表記の要部電源スイッチ入力することで、タイマー制御に従って送液管２１の送液を噴霧して終了すことを特徴した。【００１３】請求項３にあっては、前記防除システム２０の送液噴霧が終了後、コンプレッサーエアー６１加圧で送液管２１内の残液をノズル２７噴霧排出しすることを特徴した。【００１４】請求項４にあっては、前記防除システム２０の作動操作は手動スイッチで圧送ポンプ３２を作動し、作動時間はタイマーと薬液希釈撹拌槽５０と貯留水槽５１の水位計センサ５４検値で制御し安全停止する、作業が停止すると同時に、ベルと点灯で作業終了を知らせ、近辺のスイッチを切ることで完全終了したことを特徴した。
【考案の効果】
【００１５】請求項１にあっては、植物栽培ハウスの上部空間部に送液管を配置して上部空間を使ったノズル噴霧よって、作物の種類によっては、ノズル噴射の圧力調整コントロールよって霧状のサイズを生成することができて、作物の葉裏や茎の横面にもしっかり付着防除ができ、農薬の散布量を減らすことができる。【００１６】前記送液管が植物栽培ハウス内に入った近辺に手動バルブを設けたことで、ハウス棟の休耕や内部作業時の無駄な噴霧を阻止できる。【００１７】自動噴霧化することで、農薬の危被害の回避、ハウス内冷房、乾燥対策、作業者の労力低減等の効果大である。【００１８】請求項２にあっては、電気制御基板の電源スイッチ部分に、噴霧に必要送液を表示したことで、要部の手動電源スイッチを入力することで、タイマー制御に従って送液噴霧の工程を自動で終了する。【００１９】請求項３にあっては、送液管内の残液をコンプレッサーエアー圧によって、残液をノズル噴霧排出することができる。【００２０】請求項４にあっては、手動スイッチで圧送ポンプを作動し、終了停止はタイマーと槽内液の水位計センサ検値で制御し安全停止して、ベルと点灯で作業終了を知らせ、近辺のスイッチを切ることで終了確認を自覚する。
【図面の簡単な説明】
【００２１】
【図１】防除システムの実施形態を示す斜視図である。
【図２】図１のＡ部の薬液希釈撹拌槽と貯留水槽の説明拡大斜視図である。
【図３】送液管の実施形態構成の斜視図である。
【図４】連棟ハウスの一部でもって防除システムの詳細説明平面図である。
【図５】ガラスハウスの内防除設備に用いる送液管支えＴ型支柱の説明斜視図である。
【考案を実施するための形態】
【００２２】この本考案に係わる概要を説明する。
植物栽培ハウスの防除おいて、生産者が定期的に農薬散布を行って防除しているが、作業者にとって多大な時間が必要と、作業負荷が大きく重労働であったり、閉じられたハウスの空間内での作業となるため、薬剤吸引による健康上に悪影響が出る恐れがある。
【００２３】近年では植物栽培を企業的に経営している企業農家は、無人自走式散布化が進んでいる、併し、一方では高価な防除設備費用を栽培農家が負担するという深刻な問題点があって、高齢に伴って栽培を止むを得ず休農に追い込まれているのが現状である。
【００２４】然るに、先ず安価な防除設備で、安心して容易に操作できる静止防除設備を構成し、植物栽培ハウス内での噴霧の薬液を作業員に影響を与えることなく、植物栽培に付着する病害虫を確実に駆除できる防除システムを課題として考案したものである。
【００２５】以下、本考案の実施の形態として図１〜図５に基づいて説明する。
図１は防除システムの実施形態を示す斜視図である、植物栽培を行うビニールハウスやガラスハウス内等の防除において、植物栽培ハウス１０内で病害虫予防剤を含む薬液噴霧を安全に行うことができる、ビニールハウス１０に装備構成の安価な防除システム２０である。
【００２６】先ず、ビニールハウスに送液管２１を配置する受棚を、図１、図４、で詳細に説明する、その送液管２１を受支える棚用軽量パイプ１３を、ハウス１０の全周側面支柱１１と結合の上部側面通しパイプ１２結合の、その側面通しパイプ１２に棚用軽量パイプ１３の端部を載せ掛けて、側面通しパイプ１２と棚用軽量パイプ１３を結合金具で固定し、棚用軽量パイプ１３を棚状に形成して、（図４参照）棚状なる軽量パイプ１３の上部に送液管２１を載せて配置し結束バンドを用いて固定したものである。
【００２７】棚用軽量パイプ１３の棚状が送液管２１の重みで弛む場合は、天井部の梁を利用して吊設金具あるいは、ステンレス針金等を用いて全体の弛み調整することが好ましい。
【００２８】図５はガラスハウスの防除設備に用いる送液管２１支えＴ型支柱Ｔ３１の説明斜視図である、ガラスハウスの防除設備においては、送液管２１を支える要部の要用にＴ型支柱Ｔ３１を設けて形成し、送液管２１をＴ型支柱Ｔ３１に載せ置きして施工するものである、また、Ｔ型支柱Ｔ３１に吊設しても良いことは勿論である。
【００２９】次に、図２は、図１Ａ部の薬液希釈撹拌槽と貯留水槽の説明拡大斜視図である。
図２は、薬液希釈撹拌槽５０と貯留水槽５１とに吸引管を設けて電磁弁２９を組入れ、前記電磁弁２９はＴ型分岐管２４を用いて圧送ポンプ３２と連結し、前記圧送ポンプ３２は送液管２１と連結して、植物栽培ハウス１０内に送液管２１を引き込みしている。
【００３０】図１、４、で示す、植物栽培ハウス１０内に引き込みした送液管２１に手動バルブ２３を設け、バルブ２３の先をＴ型継手２２で分岐して二本の送液管２１を配置して、栽培ハウス１０上部の空間部Ｋ１４に地上から高さ１．５ｍ〜２．５ｍ位に送液管２１を全長方向に架設している。
【００３１】また、上記述べした手動バルブ２３は、ハウス１０棟の休耕や内部作業時の無駄な噴霧を阻止するバルブ２３である。
【００２３２】図３に示す（Ｂ部拡大図参照）、上記送液管２１にＴ型分岐２４を用いてノズルを２７装備する、そのＴ型分岐２４に短管２５を使い、その短管２５の端部に水栓ソケット２６を用いて噴射ノズルを下向噴射に取付け、そのノズル２７を送液管２１に所定間隔１．５ｍで配置し、（図４参照）の二本の並列送液管２１を使って複数ノズル２７を千鳥状に配置し、噴射平面円Ｆ３３の隙間をなくし噴霧範囲効果を高めている。
【００３３】ハウス１０内の送液管２１を二本数で配置した、ハウス１０の間口や全長によって略相違はあるが、通常ハウス２１の間口５〜６ｍ内であれば、二本の送液管２１に千鳥状でノズル２７を配置することで、充分な噴射雰囲気を完成できる
【００３４】薬液希釈の生成は防除に係わる作業者が、原液量を薬液希釈撹拌槽５０に注入して、希釈水量は撹拌槽５０にゲージパイプ５２を目視しながら流量計で注入する、作業者が確認後撹拌モーター５３のスイッチを入力し後はタイマーで終了する。
【００３５】貯留水槽５１は、水位センサ５４有して給水管４０に電磁弁４１を用いて、自動給水停止を行い常に貯留水槽５１を満水にしている。
【００３６】防除システム２０が散布する農薬は撹拌槽５０で３０００倍〜４０００倍に水希釈して散布に使用するが、貯留水槽５１の水においては、薬液散布後の送液管２１内の洗浄水や作物の水散布、ハウス内冷房散布、乾燥対策散水に使用する水である。
【００３７】散布使用の用途に必要な送液の方法は、制御基盤６０に設けた手動電源スイッチの上部に分類ごとに、薬液、洗浄、冷房散布、作物散水、乾燥散水、表記している、送液表記を要部選定して電源スイッチ入力することで、圧送ポンプ３２とコンプレッサー６１が同時に作動して槽内の液を吸引噴射し、タイマー制御に従って送液噴霧の工程を自動で終了する。
【００３８】例えば、薬液散布の終了は、槽内液の水位計センサ検値とタイマーで制御し安全停止して、同時に終了の知らせにハウス１０の入口に設置のベルが鳴り響くと共に、青の点滅灯が点灯して散布終了を知らせ、近辺の電源スイッチを切ることで終了確認を自覚する。
【００３９】薬液散布の終了後は、加圧ポンプ３２とコンプレッサー６１が同時に作動し、貯留水槽５１水を用いて送液管２１内の残留洗浄水液をノズル２７噴霧で排出し、加圧ポンプ３２の停止後コンプレッサー６１エアー加圧で送液管２１内の洗浄残液をノズル２７噴霧で排出し終了する。
【００４０】作物の種類によっては、コンプレッサー６１エアー加圧の圧力調整コントロールよって、ノズル２７噴射が霧状サイズを生成しながら、作物の葉裏や茎の横面にもしっかり付着して防除ができて、超微細噴霧生成で農薬の散布量を減らすことが可能となる。
【００４１】防除システム２０を作動させるには、各々の要部にセンサを装備し、センサ検値の作動制御と時間制御を組合せで定期的に無人作動することは可能であるが、あえて低価格での防除システム２０を目的としたことで最低のプログラム制御を構成したものである。
【符号の説明】
【００４２】１０    植物栽培ハウス（ビニールハウス、ハウス、）
１１    全周側面支柱
１２    上部側面通しパイプ
１３    棚用軽量パイプ
Ｋ１４  上部空間部
２０    防除システム
２１    送液管
２２    Ｔ型継手
２３    手動バルブ
２４    Ｔ型分岐
２５    短管
２６    水栓ソケット
２７    ノズル
２８    吸引管
３９    電磁弁（送液用）
３０    Ｔ型分岐継手
Ｔ３１  Ｔ型支柱
３２    圧送ポンプ
Ｆ３３  噴射平面円
４０    給水管
４１    電磁弁（給水用）
５０    希釈撹拌槽
５１    貯留水槽
５２    ゲージパイプ
５３    撹拌モーター
５４    水位センサ
６０    制御基盤
６１    コンプレッサー
６２    エアーパイプ
６３    逆止弁
６４    エアー開閉電磁弁
【図１】
0003223333.tif 000003
【図２】
0003223333.tif 000004
【図３】
0003223333.tif 000005
【図４】
0003223333.tif 000006
【図５】
0003223333.tif 000007